(57)【要約】【課題】相手側機器の表示装置の大きさに対応した画像データの送信が可能なデジタルカメラを提供する。【解決手段】撮影した画像データをデジタル形式で表示手段に表示可能であると共に記憶手段に記憶し、該記憶した画像データを相手先に送信可能なデジタルカメラにおいて、送信相手先の情報端末に送信し、該相手先情報端末が備える画面サイズを問い合わせる画面サイズ問合せ手段２１と、この画面サイズ問合せ手段に対する相手先情報端末からの画面サイズの応答データに基づき、前記記憶した画像データの画面サイズを相手先情報端末の画面サイズに適合させて拡大または縮小する画面サイズ処理手段２２と、この画面サイズ処理手段が処理した画面サイズの画像データを、相手先情報端末に送信する送信手段とを備えた構成としてある。【選択図】　　図３
2004112360.tif 000002
【特許請求の範囲】
【請求項１】
撮影した画像データをデジタル形式で表示手段に表示可能であると共に記憶手段に記憶し、該記憶した画像データを相手先に送信可能なデジタルカメラにおいて、
送信相手先の情報端末に送信し、該相手先情報端末が備える画面サイズを問い合わせる画面サイズ問合せ手段と、
該画面サイズ問合せ手段に対する相手先情報端末からの画面サイズの応答データに基づき、前記記憶した画像データの画面サイズを前記相手先情報端末の画面サイズに適合させて拡大または縮小する画面サイズ処理手段と、
該画面サイズ処理手段が処理した画面サイズの画像データを、相手先情報端末に送信する送信手段と
を備えたことを特徴とするデジタルカメラ。
【請求項２】
請求項１記載のデジタルカメラにおいて、
前記相手先情報端末からの画面サイズ指定に応じた画面サイズの画像データを生成する指定画面サイズデータ生成手段を備えたことを特徴とするデジタルカメラ。
【請求項３】
請求項１〜請求項２記載のデジタルカメラにおいて、
前記画面サイズを処理した画像データを送信する通信回線の通信速度を決定する通信速度決定手段と、
該通信速度決定手段が決定した通信速度に対応した通信速度の画像データを生成する決定通信速度画像データ生成手段と
を備えたことを特徴とするデジタルカメラ。
【請求項４】
請求項１〜請求項３記載のデジタルカメラにおいて、
前記相手先情報端末との間の通信を行う通信Ｉ／Ｆの種類を決定する通信Ｉ／Ｆ種類決定手段と、
該通信Ｉ／Ｆ決定手段が決定した通信Ｉ／Ｆの種類に対応した前記処理後の画像データを生成する通信Ｉ／Ｆ種類対応画像データ生成手段と
を備えたことを特徴とするデジタルカメラ。
【請求項５】
請求項１〜請求項４記載のデジタルカメラにおいて、
前記相手先情報端末の画面サイズを相手先別に登録しておく相手先別画面サイズ登録手段を備え、
該登録手段に登録した画面サイズに応じて画像データを相手先に送信することを特徴とするデジタルカメラ。
【発明の詳細な説明】
【０００１】
【発明の属する技術分野】
本発明は、デジタルカメラに関し、特に、相手側機器の表示装置の大きさに対応した画像データの送信や通信時間の短縮をすることが可能であり、また通信回線の種類や通信速度に応じて適切な応答速度で相手側機器に画像を表示させることが可能なデジタルカメラに関する。
【０００２】
【従来の技術】
従来のデジタルカメラは、ＣＣＤ（Ｃｈａｒｇｅ　Ｃｏｕｐｌｅｄ　Ｄｅｖｉｃｅ）等の撮像素子で画像を撮影した後、画像処理を行い、その画像をＬＣＤ（Ｌｉｑｕｉｄ　Ｃｒｙｓｔａｌ　Ｄｉｓｐｌａｙ）等の表示装置で確認し、その確認後の画像をメモリカードに格納していた。そして、デジタルカメラの内蔵メモリに格納した画像や、メモリカードに格納した画像をＰＣ（パソコン）等を用いて表示や印刷を行ったり、あるいはその画像をＰＣおよびインターネットを介して相手側機器に送信していた。
【０００３】
一方、最近では、前述のＰＣを介しての画像送信の機能は勿論可能であるが、デジタルカメラそのものをインターネットに接続し、撮影した画像を相手側機器に送信可能にしたタイプのものも市販されるようになってきた。
即ち、このタイプのデジタルカメラでは、ＷＥＢサーバを搭載し、ＰＣ等のＷＥＢブラウザに画像を表示するようにしている（例えば、（株）ＲＩＣＯＨのデジタルカメラ：Ｃａｐｌｉｏ　ＲＤＣｉシリーズ）。以下、このタイプのデジタルカメラを「ＷＥＢ対応デジタルカメラ」と称する。
【０００４】
【発明が解決しようとする課題】
しかしながら、従来のＷＥＢ対応デジタルカメラは、相手側機器の表示装置に表示させるＷＥＢ画面の大きさが、ＰＣ用に作成された固定の大きな画面である。そのため、相手側機器がＰＤＡ（Ｐｅｒｓｏｎａｌ　Ｄｉｇｉｔａｌ　Ａｓｓｉｓｔａｎｔ）や携帯電話等である場合、表示装置が小さいので、ＷＥＢ対応デジタルカメラから送信した画像データの一部しか表示されないことがある。
【０００５】
具体例としては、図６に示すように、ＷＥＢ対応デジタルカメラ１１０により例えば富士山を撮影し、裾野まで捉えた画像データ（富士山の全体像）１１１を保持しているものとする。この画像データ１１１を、インターネット１２０を介してＰＣ１３０に送信すると、例えば１５インチのＰＣ画面１３１には、ＷＥＢ対応デジタルカメラの画像データ１１１と同等の「富士山の全体像」が表示される。
【０００６】
しかし、ＷＥＢ対応デジタルカメラ１１０から画像データ１１１を、無線局１５０を介して携帯電話１４０に送信した場合には、携帯電話１４０の画面１４１が小さいために、送信した画像データ（富士山の全体像）１１１の一部（例えば、山頂部）しか表示されない場合がある。
また、相手側機器の表示装置が小さい場合、画像データの通信時間を短縮することができれば、通信料金を減額することができる。
【０００７】
本発明は、上記の事情にかんがみなされたもので、相手側機器の表示装置の大きさに対応した画像データの送信や通信時間の短縮をすることが可能であり、また通信回線の種類や通信速度に応じて適切な応答速度で相手側機器に画像を表示させることが可能なデジタルカメラの提供を目的とする。
【０００８】
【課題を解決するための手段】
上記目的を達成するため請求項１記載の発明は、撮影した画像データをデジタル形式で表示手段に表示可能であると共に記憶手段に記憶し、該記憶した画像データを相手先に送信可能なデジタルカメラにおいて、
送信相手先の情報端末（図１の携帯電話１４０）に送信し、該相手先情報端末が備える画面サイズを問い合わせる画面サイズ問合せ手段（図３の符号２１）と、
該画面サイズ問合せ手段に対する相手先情報端末からの画面サイズの応答データに基づき、前記記憶した画像データの画面サイズを前記相手先情報端末の画面サイズに適合させて拡大または縮小する画面サイズ処理手段（図３の符号２２）と、
該画面サイズ処理手段が処理した画面サイズの画像データを、相手先情報端末に送信する送信手段（図２の通信Ｉ／Ｆ部１５）とを備えた構成としてある。
【０００９】
このようにすれば、例えば図１〜図３に示すように、デジタルカメラ（ＷＥＢ対応デジタルカメラ）ＤＣ（図１）から送信相手先の「情報端末」である携帯電話１４０に対し、▲１▼画面サイズ問合せ手段２１（図２）により画面サイズを問い合せる。▲２▼携帯電話１４０が自己の画面サイズを返答すると、▲３▼デジタルカメラＤＣの画面サイズ処理手段２２（図３）は、画像データ１１１を携帯電話１４０の画面サイズに適合した縮小した画像データを生成し、携帯電話１４０に送信する。
従って、携帯電話の画面１４１（図１）には、例えばデジタルカメラＤＣが保持する画像データ（富士山の全体像）１１１を、縮小した状態（縮小した富士山の全体像）で表示することができる。
【００１０】
次に請求項２記載の発明は、請求項１記載のデジタルカメラにおいて、
前記相手先情報端末からの画面サイズ指定に応じた画面サイズの画像データを生成する指定画面サイズデータ生成手段（図３の符号２３）を備えた構成としてある。
このようにすれば、例えば図１〜図３に示すように、デジタルカメラ１１０から画面サイズの問合せがあった場合に、携帯電話１４０は送信して貰う画像データの画面サイズを指定する。デジタルカメラ１１０は指定画面サイズデータ生成手段２３により、指定された画面サイズの画像データを生成し、携帯電話１４０に送信する。
【００１１】
次に請求項３記載の発明は、請求項１〜請求項２記載のデジタルカメラにおいて、
前記画面サイズを処理した画像データを送信する通信回線の通信速度を決定する通信速度決定手段（図３の符号２４）と、
該通信速度決定手段が決定した通信速度に対応した通信速度の画像データを生成する決定通信速度画像データ生成手段（図３の符号２５）とを備えた構成としてある。
【００１２】
このようにすれば、例えば図１〜図３に示すように、通信速度決定手段は、通信Ｉ／Ｆにより決定し（例えば、モデムカードであればＡТコマンドにより決定）、決定通信速度画像データ生成手段は、通信速度決定手段が決定した速度により画像データを変更する。例えば、速度が遅ければ、圧縮率を上げてデータ量を減らすことができるので、通信料金を減らすことができる。
【００１３】
次に請求項４記載の発明は、請求項１〜請求項３記載のデジタルカメラにおいて、
前記相手先情報端末との間の通信を行う通信Ｉ／Ｆの種類を決定する通信Ｉ／Ｆ種類決定手段（図３の符号２６）と、
該通信Ｉ／Ｆ決定手段が決定した通信Ｉ／Ｆの種類に対応した前記処理後の画像データを生成する通信Ｉ／Ｆ種類対応画像データ生成手段（図３の符号２７）とを備えた構成としてある。
【００１４】
このようにすれば、例えば図１〜図３に示すように、通信Ｉ／Ｆ種類決定手段は通信Ｉ／Ｆ種類を決定する（例えば、ＰＣカードであれば、該カードに内蔵されたメモリにアクセスしてカード種類を知る）。通信Ｉ／Ｆ種類対応画像データ生成手段は、前記決定した通信Ｉ／Ｆ種類に対応した画像データを生成する。従って、例えば、速度が遅ければ、圧縮率を上げてデータ量を減らすことができるので、通信料金を減らすことができ、また、速度が速ければ、より高細密の画像を送ることができる。
【００１５】
次に請求項５記載の発明は、請求項１〜請求項４記載のデジタルカメラにおいて、
前記相手先情報端末の画面サイズを相手先別に登録しておく相手先別画面サイズ登録手段（図３の符号２８）を備え、該登録手段に登録した画面サイズに応じて画像データを相手先に送信する構成としてある。
このようにすれば、デジタルカメラのユーザが良く送信する相手先の画面サイズを登録しておけば、その相手先に画像データを送信する場合に、その都度相手先の画面サイズを問い合わせる必要が無くなる。
【００１６】
【発明の実施の形態】
以下、本発明を図示の実施形態に基づいて説明する。
（１）　本発明の概念説明
先ず、図１を参照しつつ、本発明の概念説明を行う。なお、既に説明済みの部分には同一符号を付し、重複説明を省略する。
【００１７】
以下の手順により、ＷＥＢ対応のデジタルカメラＤＣは予め「富士山の全体像」の画像データ１１１をメモリカード等の記憶装置に記憶しており、携帯電話１４０の画面サイズに適合した「富士山の全体像」の画像データを送信する。
【００１８】
▲１▼デジタルカメラＤＣは、携帯電話１４０にＣＧＩ（Ｃｏｍｍｏｎ　Ｇａｔｅｗａｙ　Ｉｎｔｅｒｆａｃｅ）のＵＲＬ（Ｕｎｉｆｏｒｍ　Ｒｅｓｏｕｒｃｅ　Ｌｏｃａｔｏｒｓ）を送信して、携帯電話１４０の画面サイズを問い合わせる。
▲２▼携帯電話１４０は、自己のブラウザの種別を返信する。このブラウザ種別のデータには携帯電話１４０の画面サイズが含まれている。
【００１９】
▲３▼デジタルカメラＤＣはブラウザ種別の返信データに基づいて相手先の画面サイズを認識し、相手先の画面サイズに適合した大きさに変換した画像データ（縮小された富士山の全体像）を送信する。
▲４▼携帯電話１４０は変換後の画像データ（縮小された富士山の全体像）を受信し、携帯電話１４０の画面１４１に縮小された富士山の全体像を表示する。
【００２０】
なお、小さな表示装置を持つＰＤＡ（Ｐｅｒｓｏｎａｌ　Ｄｉｇｉｔａｌ　Ａｓｓｉｓｔａｎｔ）３００に対しても、携帯電話の場合と同様の信号送受を行い、ＰＤＡ３００の画面３０１に適合した画像データを送信すれば、ＰＤＡの画面３０１に「富士山の全体像」を表示することができる。
また、大きな表示装置（例えば１５インチ）を持つＰＣ１３０に対しても、携帯電話の場合と同様の信号送受を行い、ＰＣ画面１３１に適合した「富士山の全体像」の画像データを送信することも可能である。符号５００は、後述するネームサーバである。
【００２１】
（２）　実施形態
次に、本発明の実施形態を説明する。
図２は、本実施形態のブロック図、図３は同実施形態を構成する画面サイズ制御部のブロック図である。
図２に示すように、デジタルカメラＤＣは、レンズユニット部１と、ＣＣＤ（電荷結合素子）部２と、ＣＤＳ（相関２重サンプリング）部３と、Ａ／Ｄ変換器部４と、デジタル信号処理部５と、圧縮／伸張部６と、ＲＡＭ７と、メモリカード８と、画像表示制御部９と、操作部１０と、ＣＰＵ１１と、ＲＯＭ１２と、画像表示メモリ部１３と、ＬＣＤ部１４と、通信Ｉ／Ｆ部１５と、ＳＧ部１６と、画面サイズ制御部２０等を備えてなる。
【００２２】
レンズユニット部１は、レンズ１ａと、オートフォーカス（ＡＦ）・絞り・フィルター部を含むメカ機構１ｂと、レンズ１ａおよびメカ機構１ｂを駆動するドライバ部１ｃとからなる。メカ機構１ｂのメカニカルシャッターは、２つのフィールド（インターレースＣＣＤの場合のＯＤＤフィールドとＥＶＥＮフィールド）の同時露光を行う。
ＣＣＤ部２は、レンズユニット部１を介して入力した映像を電気信号（アナログ画像データ）に変換する。
ＣＤＳ部３は、ＣＣＤ部２からの信号が含む雑音を除去する回路である。
【００２３】
Ａ／Ｄ変換部４は、ＣＤＳ部３を介してＣＣＤ部２から入力したアナログ画像データを、デジタル画像データに変換する。即ち、ＣＣＤ部２の出力信号は、ＣＤＳ部３を通じてＡ／Ｄ変換部４で最適なサンプリング周波数（例えば、ＮＴＳＣ信号のサブキャリア周波数の整数倍）にてデジタル信号に変換される。
デジタル信号処理部５は、Ａ／Ｄ変換部４から入力した画像データを色差データと輝度データに分けて各種処理，補正，及び画像圧縮／伸張のためのデータ処理を施す。
【００２４】
圧縮／伸張部６は、例えば、ＪＰＥＧ準拠の画像圧縮／伸張の一過程である直交変換・逆直交変換、並びに、ＪＰＥＧ準拠の画像圧縮・伸張の一過程であるハフマン符号化・ハフマン複合化等を行う。
ＲＡＭ７は、ＣＰＵ１１が処理するデータを一時的に格納する。
メモリカード８には、圧縮された画像データが画像データファイルとして格納される。
【００２５】
画像表示制御部９は、モニター画像や再生画像のＬＣＤ１４への表示を行う。また、設定されているデジタルスチルカメラの状態、例えば、設定されているモード表示（例えば、画像記録モード（ファイン／ノーマル／エコノミー）、ストロボモード（自動／発光／オフ））やエラー表示等を行う。
【００２６】
操作部１０は、機能選択，撮影指示，及びその他の各種設定を外部から行うためのボタンを備えている。
ボタンの例としては、一般に撮影時に使用されるレリーズボタン，ズームキー，モードダイヤル，ストロボボタン，マクロボタンや画面にガイダンスを表示して操作し、機能を実現するためのメニューキー，上下左右のカーソルキー，ＥＮＴＥＲキー，ＣＡＮＣＥＬキー，ＳＥＬＥＣＴキーや、電源をオンオフするパワーボタン等がある。前述の各ボタンは、撮影時，再生時，通信時など動作モード毎に別の機能を併せ持っていても良い。
【００２７】
ＣＰＵ１１は、操作部１０からの指示や、タッチパネル等の外部動作指示に応じて、ＲＯＭ１２に格納された制御プログラムに従って、デジタルカメラの各部の動作を制御したり、画像データの処理を行う。
例えば、ＣＰＵ１１は、メモリカード８への画像データの記録動作の制御，メモリカード８に記録されている画像データファイルの再生動作の制御，画像データの結合処理，画像データの補正処理等を行う。
即ち、ＣＰＵ１１は、記録制御手段，再生制御手段，報知手段，データ処理手段等の機能を担っている。
【００２８】
画像表示メモリ部１３は、論理的に複数個のプレーンから構成される。なお、ＬＣＤディスプレイに表示されるメモリ領域をプレーンとし、通常、画像データのプレーンとＯＳＤデータのプレーンが存在し、これを重ね合わせＬＣＤに表示する。
前記画像表示制御部９は、各プレーンを重ね合わせて合成表示を行う。重ね合わせる際には表示位置，表示倍率，輝度，透過属性などをプレーン毎に制御を行う。
通信Ｉ／Ｆ部１５は、例えばモデムモジュールを構成要素とし、電話回線を介してインターネット・ネットワークに接続される。通信Ｉ／Ｆ部１５は、モデムモジュール以外の他の通信手段、例えばＵＳＢ，ＬＡＮ，携帯電話等のＩ／Ｆモジュールとしても良い。
【００２９】
前記操作部１０を構成するモードダイヤルや通信用のボタンを操作することにより、サーバモードにすることができる。
サーバモードでは、デジタルカメラにおいてＷＥＢサーバが起動され、通信Ｉ／Ｆ部１５を経て接続されたＰＣ等のブラウザによって、撮影画像の確認や各種機能の設定、デジタルカメラの遠隔制御を行うことができる。
ＳＧ部１６は、ＣＣＤ部２，ＣＤＳ部３，Ａ／Ｄ変換部４を制御する信号を発生する。
【００３０】
画面サイズ制御部２０は、図３に示すように、画面サイズ問合せ手段２１と、画面サイズ処理手段２２と、指定画面サイズデータ生成手段２３と、通信速度決定手段２４と、決定通信速度画像データ生成手段２５と、通信Ｉ／Ｆ種類決定手段２６と、通信Ｉ／Ｆ種類対応画像データ生成手段２７と、相手先別画面サイズ登録手段２８とを備える。
【００３１】
画面サイズ問合せ手段２１は、相手先である携帯電話の画面サイズを問い合わせる。具体的には、携帯電話にＣＧＩ（Ｃｏｍｍｏｎ　Ｇａｔｅｗａｙ　Ｉｎｔｅｒｆａｃｅ）のＵＲＬ（Ｕｎｉｆｏｒｍ　Ｒｅｓｏｕｒｃｅ　Ｌｏｃａｔｏｒｓ）を送信して、携帯電話のブラウザの種別を問い合わせる。
画面サイズ処理手段２２は、前記画面サイズの問合せに応答してきた携帯電話の画面サイズに、フルサイズで画像データを表示させるための変倍処理を行う。即ち、携帯電話に「富士山の全体像」を表示させるための処理を行う。具体的には、例えば、元画像が横幅１２００ピクセルのサイズであるのを、携帯電話におけるディスプレイの横幅１２０ピクセルのサイズに１／１０縮小変倍の処理を行う。
【００３２】
指定画面サイズデータ生成手段２３は、携帯電話から指定された画面サイズの画像データを生成する。
通信速度決定手段２４は、通信回線の速度を通信Ｉ／Ｆに応じて決められた手段により検出し、通信速度を変更する等のデータ送信方法を決定する。例えばモデムカードであれば、通信速度の上限をＡＴコマンドにより設定でき、通信速度は接続時の回線条件による。
【００３３】
決定通信速度画像データ生成手段２５は、速度により画像データ量を変更する。例えば、速度が遅ければ圧縮率をあげてデータ量を減らす。
通信Ｉ／Ｆ種類決定手段２６は、通信Ｉ／ＦとしてＰＣカードのような汎用のＩ／Ｆを使用して装着するカードにより通信Ｉ／Ｆ種類を変更することができる場合、カードに内蔵されたメモリにアクセスすることでカードの情報を読み出すことができ、Ｉ／Ｆの種類（例えば、ＰＨＳカード，携帯電話Ｉ／Ｆカード，モデムカード，ＬＡＮカード，無線ＬＡＮカード等）を決定する。
【００３４】
通信Ｉ／Ｆ種類対応画像データ生成手段２７は、通信Ｉ／Ｆ種類決定手段２６が決定した通信Ｉ／Ｆに対応した画像データを生成する。
相手先別画面サイズ登録手段２８は、予め判明している相手先毎に、相手先の情報端末（携帯電話等）の画面サイズを登録しておく。
【００３５】
（３）各請求項の説明
（３−１）請求項１の説明
図４に示す処理フローを参照しつつ、請求項１の動作を説明する。
デジタルカメラＤＣは、メモリカード８に記録されている画像の表示要求を待っている（ステップＳ１）。
【００３６】
ブラウザでアドレスに、例えば「ｈｔｔｐ：／／１９２．１６８．１．１０５／　ｈｔｔｐ＿ｒｉｃｏｈ＿ｉｎｄｅｘ．ｃｇｉ」を指定する。「１９２．１６８．１．１０５」はデジタルカメラＤＣのＩＰアドレスであり、ネームサーバ（図１の符号５００）に登録されたネットワークホスト名に置き換えることもできる。
アドレスの「ｈｔｔｐ＿ｒｉｃｏｈ＿ｉｎｄｅｘ．ｃｇｉ」は、画像の一覧を表示するためのデジタルカメラのプログラムの指定である。
【００３７】
ＰＣ１３０，携帯電話１４０，ＰＤＡ３００（図１参照）のブラウザから送られてくるブラウザの情報を判定することにより、各々のブラウザに異なるデザインのページ（図５（Ａ）参照）を表示させる。一覧表示を要求する場合には（ステップＳ２：Ｙｅｓ）、例えば、ＰＣのブラウザであれば（ステップＳ３：ＰＣ）、６４０×４８０ピクセルでデザインされたページを表示させ、ＰＤＡのブラウザであれば、３２０×２４０ピクセルでデザインされたページを表示させ、携帯電話であれば横幅１２０ピクセルでデザインされたページを表示させる。
【００３８】
画像の一覧のページに表示されたインデックスをクリックすると、選択画像（例えば、図５（Ｂ）参照）を表示するアドレス「ｈｔｔｐ：／／１９２．１６８．１．１０５／ｈｔｔｐ＿ｓｅｒｅｃｔ．ｃｇｉ？ＲＩＭＧ０００３．ｊｐｇ」が送られる。
例えば、ＰＣのブラウザであれば元の画像をそのまま返す（ステップＳ４）。３３０万画素のデジタルカメラで撮影した画像であれば、２０４８×１５３６ピクセルの画像である。ＰＤＡのブラウザであれば、３２０×２４０ピクセルに縮小変倍した画像を返す（ステップＳ５）。携帯電話のブラウザであれば、１２０ピクセルに縮小変倍した画像を返す（ステップＳ６）。
【００３９】
ステップＳ２で一覧表示要求が無く（ステップＳ２：Ｎｏ）、画像表示要求があった場合には（ステップＳ７：Ｙｅｓ）、ブラウザがＰＣであれば（ステップＳ８：ＰＣ）、送信する画像をデジタルカメラＤＣの画像と等倍で送る（ステップＳ９）。また、ブラウザがＰＤＡであれば（ステップＳ８：ＰＤＡ）、３２０ピクセルの縮小画像を送る（ステップＳ１０）。ブラウザが携帯電話であれば（ステップＳ８：携帯）、１２０ピクセルの縮小画像を送る（ステップＳ１１）。
前記ステップＳ７で画像表示要求が無い場合には（ステップＳ７：Ｎｏ）、画像送信が終了であれば（ステップＳ１２：Ｙｅｓ）、エンドとなり画像送信が終了でなければ（ステップＳ１２：Ｎｏ）、再度ステップＳ１に戻る。
【００４０】
（３−２）請求項２の説明
請求項２のデジタルカメラにおいては、「表示サイズごとにアドレスを設けておき、そのアドレスを指定することによってページの表示方法を変える」。
例えば、「ｈｔｔｐ：／／１９２．１６８．１．１０５／　ｈｔｔｐ＿ｒｉｃｏｈ＿ｉｎｄｅｘ．ｃｇｉ？６４０×４８０」、あるいは、「ｈｔｔｐ：／／１９２．１６８．１．１０５／　６４０×４８０／ｈｔｔｐ＿ｒｉｃｏｈ＿ｉｎｄｅｘ．ｃｇｉ」と指定すると、画像の一覧を６４０×４８０ピクセルでのページの表示サイズに最適にしたページを表示する。
図４に示した請求項１の処理フローにおいて、「ブラウザの判定」を「アドレスの判定」に変更することで実現できる。
【００４１】
（３−３）請求項３および請求項４の説明
請求項３のデジタルカメラでは、通信速度によってページの表示方法を変える。
例えば、回線速度が３２Ｋｂｐｓ以上の場合には６４０×４８０ピクセルのページを表示するが、回線速度が３２Ｋｂｐｓ未満の場合には３２０×２４０ピクセルのページを表示する。
請求項４ではこの判断を通信Ｉ／Ｆ部１５で行うが、通信Ｉ／Ｆ部１５が交換可能なＰＣカード等で構成されている場合は、通信Ｉ／Ｆ部１５がＬＡＮの場合は大きなデータ量の多い画像を表示させ、モデムの場合は小さなデータ量の小さい画像を表示させる。
【００４２】
請求項３，４ともに通信速度が早い場合にはデータ量の大きいデータを返すが、通信速度が遅い場合はデータ量を小さくすることで通信時間を短くすることができる。
以上の処理は、請求項１の処理フローにおいて、「ブラウザの判定」を「通信速度または通信Ｉ／Ｆ部種類の判定」に変更することで実現できる。
【００４３】
（３−４）請求項５の説明
請求項５のデジタルカメラでは、通信開始時の接続先に対して表示データに関するパラメータを設ける。
例えば、通信相手先Ａにレベル１、通信相手先Ｂにレベル２を設定すると、Ａに対しては元の画像をそのまま返すが、Ｂに対しては１／２のサイズに縮小したページを表示する。
図４に示した請求項１の処理フローにおいて、「ブラウザの判定」を「表示パラメータ」の判定に変更することで実現できる。
【００４４】
なお、前記実施例ではデジタルスチルカメラの場合を説明したが、本発明をデジタル動画カメラにも適用可能である。即ち、例えば動画データがモーションＪＰＥＧである場合には、画面サイズの大小、画像圧縮率の大小、フレームレート等を変更すれば、送信するデータサイズを変更することができるので、相手先情報端末の画面サイズに適応した画像を送信することができる。
【００４５】
【発明の効果】
以上説明したように本発明によれば、以下の効果を発揮することができる。
請求項１記載の発明によれば、携帯電話の携帯画面には、デジタルカメラが保持する画像データ（富士山の全体像）を、例えば、縮小した状態（縮小した富士山の全体像）で表示することができる。
【００４６】
請求項２記載の発明によれば、相手先からの指定された画面サイズの画像データを生成し、携帯電話等に送信することができる。
請求項３記載の発明によれば、例えば、速度が遅ければ、圧縮率を上げてデータ量を減らすことができるので、通信料金を減らすことができる。
【００４７】
請求項４記載の発明によれば、例えば、速度が遅ければ、圧縮率を上げてデータ量を減らすことができるので、通信料金を減らすことができ、また、速度が速ければ、より高細密の画像を送ることができる。
請求項５記載の発明によれば、デジタルカメラのユーザが良く送信する相手先の画面サイズを登録しておけば、その相手先に画像データを送信する場合に、その都度相手先の画面サイズを問い合わせる必要が無くなる。
【図面の簡単な説明】
【図１】本発明の概念を説明するための図である。
【図２】本発明の実施形態のブロック図である。
【図３】同実施形態における、画面サイズ制御部のブロック図である。
【図４】同実施形態の動作を示すフローチャートである。
【図５】同実施形態における、ＰＣ，ＰＤＡ，携帯電話の画像を示す図であって、（Ａ）はブラウザにおける一覧表示、（Ｂ）は画面における画像表示である。
【図６】従来技術の不都合を説明するための図である。
【符号の説明】
ＤＣ　デジタルカメラ
１　レンズユニット部
１ａ　レンズ
１ｂ　メカ機構
１ｃ　ドライバ部
２　ＣＣＤ部
３　ＣＤＳ
４　Ａ／Ｄ変換器部
５　デジタル信号処理部
６　圧縮／伸張部
７　ＲＡＭ
８　メモリカード
９　画像表示制御部
１０　操作部
１１　ＣＰＵ
１２　ＲＯＭ
１３　画像表示メモリ部
１４　ＬＣＤ部
１５　通信Ｉ／Ｆ部
１６　ＳＧ部
２０　画面サイズ制御部
２１　画面サイズ問合せ手段
２２　画面サイズ処理手段
２３　指定画面サイズデータ生成手段
２４　通信速度決定手段
２５　決定通信速度画像データ生成手段
２６　通信Ｉ／Ｆ種類決定手段
２７　通信Ｉ／Ｆ種類対応画像データ生成手段
２８　相手先別画面サイズ登録手段
１１０　従来のデジタルカメラ
１１１　画像データ（富士山の全体像）
１２０　インターネット
１３０　ＰＣ
１３１　ＰＣ画面
１４０　携帯電話
１４１　携帯電話の画面
１５０　無線局
３００　ＰＤＡ
３０１　ＰＤＡの画面
５００　ネームサーバ
【図１】
2004112360.tif 000003
【図２】
2004112360.tif 000004
【図３】
2004112360.tif 000005
【図４】
2004112360.tif 000006
【図５】
2004112360.tif 000007
【図６】
2004112360.tif 000008